(57)【要約】【課題】フレーム２で囲まれた開口部を集球部５と排球部６に境界部４で分け、その上面に保持部３を設けた集球具１では、そのままでは集球ボールが排球部６からこぼれ落ちる。【解決手段】境界部４の上面の保持部３の外側（図で上側）に伸縮性の帯状押え具９を装着。押え具９の両端１０Ａはフレーム２に、押え具９の中間部分は保持部３に装着。装着時には境界部４と保持部３との間がボール１２の径より小さくなる様に、また押え具９を上方へ引張るとボールの径より大きくなる様に装着。図は、柄８を握り集球部５をボール１２の上から被せ押えて集球中の図。ボール１２は、押え具９の効果で排球部６の方へはこぼれ出ず集球部５の上方の保持部３内に保持される。排球時は、押え具９を手で上方へ引っ張れば、境界部４との間にスペースが出来て、ボール１２はそこを通り排球部６から排出される。排球終了後は手を離せば押え具９は縮んで図の状態に戻り、また集球できる。【選択図】図５
2011143219.tif 000002
【特許請求の範囲】
【請求項１】
フレーム２で囲まれた開口部分に集球部５と排球部６を、その上面部分に保持部３を設けた卓球の集球具において、集球部５で集球したボール１２の排球部６への移動をコントロールする為に、伸縮性を有する押え具９を保持部３に装着し或いは伸縮性を有する押え具９で保持部３を形成し、その保持部３と境界部４との間のボール１２の移動用スペースの開閉を、押え具９を伸縮させる事によりコントロールする事を特徴とした卓球用集球具。
【請求項２】
上記伸縮性を有する押え具９の代わりに、吸着特性を有するマグネット１４とスチール１５の一対物を使用し、その一対物の一方は保持部３に装着し或いは保持部３を形成し、他方は境界部４やフレーム２のその対応する部位へ装着し或いはその対応する部位を形成し、そのマグネット１４のスチール１５への吸着特性を利用した付着とその引き離しにより移動用スペースの開閉をコントロールする事を特徴とした請求項１に記載の卓球用集球具。
【請求項３】
上記マグネット１４とスチール１５の一対物の代わりに、フック状とパイル状のかみ合わせ特性を利用した布テープ状の一対物を使用する事を特徴とした請求項１及び請求項２に記載の卓球用集球具。
【発明の詳細な説明】
【技術分野】
【０００１】  本発明は、多数のボールを使い行う卓球練習時のボール集め具、特にその集球面に線状物を張って成る集球具の集球したボールを排出する方法の改善に関するものである。
【背景技術】
【０００２】  卓球練習時に、床面に散乱した多数のボールを集める方法としては、現在は図１０に示す様な虫取り網等を利用したすくい取り式の方法が多用されている。更に、特許文献１〜４の様な方法も提案されている。これらは、すくい取るのではなく、図１０のすくい取り式集球具のフレーム２で囲まれた開口部に、線状物７をボールの直径より狭い間隔で張り、その線状物７を張った面をボールの上から被せ押さえ、線状物７の間を通ったボールを集める方法である。【０００３】  この方法の場合、集めたボールを使用する時や別の容器に移し替える時には、その集球し保持している保持部から取出す必要がある。特許文献１〜４においては、それぞれ工夫がされている。本発明は、そのボールの取出し方法、即ち排球時のボール放出部の開閉方法、特に特許文献４に示されているフレーム２で囲まれた開口部に集球部と排球部とを設けたものの開閉方法の改善に関するものである。
【先行技術文献】
【特許文献】
【０００４】
【特許文献１】実開昭６３−０４３５６５。
【特許文献２】登録実用新案第３００１２７７。
【特許文献３】特許登録第３６６０５８５。
【特許文献４】特開２００９−１８９７６８
【発明の概要】
【発明が解決しようとする課題】
【０００５】  本発明が改善対象としている集球具は、フレームで囲まれた開口部に集球部と排球部とが設けてあり、うまく機能すれば使い易いものである。しかし、これは同一フレーム内の開口部に集球部と排球部とが設けてあるので、集球部でボールを集球中等に排球部の方へ移動しこぼれ出てしまうという事がある。そのため、その防止方法として、特許文献４では排球部の大きさ（広さ）をボールの大円の１．５倍以上とするとか落下防止具を使用する等の工夫がなされている。【０００６】  しかし、集球と排球とを実用的なスムーズさで確実に行う為には、更なる改良が必要と考えられる。例えば、集めたボールをスムーズに迅速に排出する為には、排球部の大きさ（広さ）はそれなりに確保しておく方が望ましい。しかし、ただ大きくしただけでは、折角集めたボールが排球部の方へ移動し落下してしまう。したがって、落下防止具などの落下を防止する手段が必要となってくる。【０００７】  特許文献４では、落下防止具として筒状物やシート状物あるいは板状や塊状物などが提案されている。これらの方法を使えば、確かにボールの排球部からの不測のこぼれ落ち防止には有効である。ただ、筒状物やシート状物は開閉操作がやり難い時があり、板状物などの方は集球中や持運び中にずれたりなどしてボールがこぼれ出る時があり改善が望まれている。  従って、本発明は、この排球時の問題の解決を目的としたものである。
【課題を解決するための手段】
【０００８】  本発明は、上記課題を次の方法により解決した。即ち、フレーム２で囲まれた開口部分に集球部５と排球部６を、その上面部分に保持部３を設けた卓球の集球具において、集球部５で集球したボール１２の排球部６への移動をコントロールする為に、伸縮性を有する押え具９を保持部３に装着し或いは伸縮性を有する押え具９で保持部３を形成し、その保持部３と境界部４との間のボール１２の移動用スペースの開閉を、押え具９を伸縮させコントロールする方法により解決した。【０００９】  更に、上記伸縮性を有する押え具９の代わりに、吸着特性を有するマグネット１４とスチール１５の一対物を使用し、その一対物の一方は保持部３に装着し或いは保持部３を形成し、他方は境界部４やフレーム２の対応する部位へ装着或いはその対応する部位をその他方で形成し、そのマグネット１４のスチール１５への吸着特性を利用した付着とその引き離しにより移動用スペースの開閉をコントロールする方法によっても解決した。【００１０】  更には、上記マグネット１４とスチール１５の一対物の代わりに、フック状とパイル状のかみ合わせ特性を利用した布テープ状の一対物（マジックテープ（商標名）など）を使用する方法によっても解決した。
【発明の効果】
【００１１】  集球したボールは集球部と保持部との間にいったん保持され、その後集球部と排球部との間の境界部の上を通り移動排出されるので、その境界部上の保持部を広げたり狭めたりしてそこのスペースの開閉を自在にコントロールする方法により、上記課題を解決し、次の様な効果が得られた。【００１２】  （イ）従来は排出部の広さを狭くするとか、落下防止具等を使用する等が必要だったが、集球部から排球部へのボール移動が境界部の所でコントロール出来る様になったので、ボールの不測のこぼれ落ち等がなくなり、排球部の広さを十分大きく設ける事が出来るようになり、ボールの排球が大変スムーズ迅速に行える様になった。落下防止具等も不要となった。
（ロ）ゴム状物の伸縮性やマグネットの吸着性、布テープのかみ合わせ性等を利用しているので、排球の為の境界部上のスペースの開閉は、集球時と同じ様な姿勢で保持部等を手で上方へ引張ったり離したりのワンタッチ的操作で行えて、大変操作し易い使い勝手の良いものである。
（ハ）境界部上のスペースの開閉をコントロール出来る様にしたので、ボールが集球部から排球部へ勝手に移動出来なくなり、集球中や持運び中、保管中等でもボールが転がり落ちたりする心配がなく、安心して使用出来る様になった。
（二）集球したボールを集球具から容器等に移したい時は、排球部分を容器等の開口部分の上に持っていき、境界部分の上方の保持部等を手で上方へ引っ張れば、ボールは集球部から排球部の方へ移動し排出され容器等へ落下収容される。手を離せば境界部上のスペースは閉じ、再び集球や持運び等が出来る。排出途中で手を離しボールが保持部に残った状態でも集球や持運び等に支障はなく、大変使い易いものである。
【図面の簡単な説明】
【００１３】
【図１】フレーム内の開口部を集球部と排球部に仕切った原形集球具。
【図２】本発明の伸縮性を有する押え具を装着の集球具の正面図。
【図３】同上集球具の平面図。
【図４】同上集球具のＸ−Ｘ’視野断面図。
【図５】同上集球具でボールを集球中の図（正面図）。
【図６】同上集球具で集球したボールを排出中の図（正面図）。
【図７】本発明のマグネット装着の集球具の正面図。
【図８】同上集球具の平面図。
【図９】同上集球具のＹ−Ｙ’視野断面図。
【図１０】市販のすくい取りタイプの集球具。
【発明を実施するための形態】
【００１４】  本タイプの集球具１、即ち、フレーム２で囲まれた面に集球部５と排球部６とを設け、その上面部分に保持部３を設けた集球具１では、集球部５で集球したボール１２は集球部５と保持部３との間に一度保持され、排球時には集球部５と排球部６との間の境界部４の上部を必ず通り移動して排球部６から排出される。したがって、その移動用のスペース、即ち、保持部３と境界部４との間のスペース（ボール１２の移動用の開口部）を広げたり狭めたりと開閉すれば排球のコントロールが可能である。
【００１５】  そこで、そのコントロール方法につき種々検討の結果、保持部３として柔軟性のあるネット状物や布状物などを使用し、その柔軟性を利用し、ゴム状物の伸縮特性、マグネットの吸着特性、布テープのかみ合せ特性等を有する素材でその柔軟性ある保持部３を広げたり狭めたりする事により解決するに至った。
【００１６】  ゴム状物としては、ゴム状弾性を有するものやその複合材等から成る紐状、帯状、棒状、布状、ネット状等、或いはそれらを組合せた形状等の伸縮性を有する押え具９を使用し、それを保持部３に装着或いはその押え具９で保持部３を形成する。その際、保持部３と境界部４との間のスペースが、ボール１２の直径よりも小さく（狭く）なる様にする。また、押え具９としては、それを引っ張れば保持部３と境界部４との間に少なくともボール１２の直径より大きな（広い）スペースが出来る伸縮性を有するものを使用する。
【００１７】  この様に装着すれば、押え具９から手を離した状態であれば、集めたボールは集球中や持ち運び中などでも排球部の方へこぼれ出る事はない。また、排球したい時は、押え具９を境界部４から引き離す様に引っ張れば、保持部３と境界部４との間にはボール１２が通れるスペースが出来、そこを通ってボール１２は排球部６の方へ移動し排出される。
【００１８】  マグネットの場合は、マグネット１４のスチール１５への吸着特性を利用し両者を一対として使用する。従って、一対物のどちらか一方は、押え具９の場合と同様に保持部３の方に装着したりそこを形成したりする。残りの他方は境界部４やフレーム２側に装着や形成する。その際、保持部３側に装着の一対物の一方に対応した部位に装着、或いはその対応する部位をその一対物の他方で形成する。
【００１９】  例えば、マグネット１４を保持部３に装着すれば、スチール１５は境界部４等の方へマグネット１４の位置に対応させ装着する。そのように装着し、そのマグネットのスチールへの吸着特性を利用し両者を付着させたり引き離したりすれば、保持部３と境界部４との間のスペースを、押え具９の時と同様に、コントロールする事が出来る。
【００２０】  マジックテープ（商標名）などの布テープの場合は、フック状とパイル状の一対物を、マグネットとスチールの一対物の場合と同様に使用し、その一対物をかみ合せたり離したりすれば、保持部３と境界部４との間のスペースをマグネットの場合と同様にコントロールする事が出来る。なお、押え具、マグネットとスチールとの一対物、フックとパイル状物の一対物の３種は、その内の２種或いは３種を適宜組合わせ使用する事も可能である。
以下、実施例にて本発明について更に説明する。
【実施例１】
【００２１】  本実施例は、伸縮性を有する押え具９を使用した実施例である。図２から図６にその実施例図を示す。図２はその集球具の正面図を、図３は平面図を、図４は図３に示すＸ−Ｘ’視野での断面図を、図５と図６にはその使用状態図（正面図）を示す。【００２２】  押え具９を装着する前の集球具としては、図１に示す集球具、即ち、フレーム２で囲まれた開口部分を境界部４にて集球部５と排球部６とに分け、且つ排球部６の開口部の大きさ（広さ）をボール１２がスムーズに通れるものとした集球具（以後「原型集球具」と呼ぶ）を使用した。図１には、その原型集球具１１の斜視図（イ）、正面図（ロ）、平面図（ハ）、底面図（ニ）を示す。なお、原型集球具１１は図１に限定されるものではなく、実施例の一つとして示すものである。【００２３】  この原型集球具１１は、剛性のあるフレーム２に、集球したボールを保持する為の保持部３（押え具９での伸び縮みに追随可能な柔軟性を有するネットを使用）と取扱操作用の柄８とを装着し構成。そのフレーム２で囲まれた開口部はボールを集める為の集球部５と集めたボールを排出する為の排球部６（共にボール１２がスムーズに通れる大きさに形成）から成り、集球用開口部には線状物７がボール１２の直径より狭い間隔で張られ集球部５を形成し、排球部６は開口状態のままとしておき、その両者の境目には剛性ある細長板状の区切板を設け境界部４とした例である。【００２４】  この原型集球具１１に、図２〜図４に示す様に、押え具９を装着し集球具１を形成したものが本実施例１である。この押え具９としては種々の形状等の押え具９が使用できるが、本実施例では伸縮自在のゴム状弾性を有する平たい帯状物を使用し、これを境界部４の上面部分の保持部３の外側（図で上側）に装着する。【００２５】  装着時には押え具９は縮んだ状態なので、押え具９を装着した保持部３は境界部４の方へ押しつけられ、保持部３と境界部４との間のスペースは狭くなる。この時、このスペースがボール１２の直径より小さくなる様に調整しておく。この押え具９を引っ張るとこのスペースは広がるが、この時そのスペースがボール１２の直径より大きくなる様に保持部３のサイズや押え具９の伸縮性を調整しておく。【００２６】  装着には糸を使用し、押え具９の両方の端部１０Ａをフレーム２に、また中央部付近の２ヶ所（１０Ｂ）を保持部３のネットに、縫い付け装着した。縫い付け以外の方法、例えば接着等の公知方法で装着しても支障ない。また、本実施例の様に１０Ａや１０Ｂの所を装着する部分的装着であっても、全面的に装着させる方法であってもよい。【００２７】  押え具９は、本実施例では保持部３の外側（図で上側）に装着したが、内側（図で下側）に装着してもよいし、保持部３で挟み込む様に装着してもよい。装着部位としては、本実施例では境界部４の上面部分の保持部３に装着したが、境界部４の上面部分に限定されるものではない。また、装着でなく、押え具９を使用しそれらの保持部３を形成してもよい。【００２８】  ただし、これらの装着や使用に際しては、集球中や持運び中（即ち、押え具９を引っ張らない状態の時）には境界部４と保持部３とのスペースがボール１２の直径より小さくなる様に、また押��具９を引っ張った時にはそのスペースがボール１２の直径より大きくなる様に調整しておく。勿論、集球部５の上面部分の保持部３は、ボールがそこに適当量集球保持出来る大きさとしておく。【００２９】  以下、本実施例の集球具１の使用方法について説明する。【００３０】  集球の時は、柄８を持ち、図５に示す様に、集球部５を床面上のボール１２の上から被せて押さえる様にすると、ボールは線状物７の間をすり抜けて、床面から保持部３の方へ移動し集球される。その時、押え具９は引っ張ったりせず装着時のままの状態で行う。その状態では、図２や図４に示す様に、押え具９が保持部３を押さえて、境界部４との間のスペースをボール１２の直径より小さくなる様にしているので、保持部３中のボール１２が排球部６の方へこぼれ出る等の恐れはなく確実に集球保持される。【００３１】  排球の時は、例えば、ボール１２を容器１３へ移したい時は、図６に示す様に、集球具１の先端部（図６で左端部）を少し上方へ上げる様にして押え具９を上方側（図６で矢印Ｇの方向）へ引くと、境界部４と保持部３との間にボール１２が通れるスペースが出来て、ボール１２はそこを通り排球部６の方へ移動し容器１３へ落下する。このボール１２が通れるスペースが出来る為には、押え具９に所定の伸縮性あるものを使用すると共に、保持部３の方にもそれだけのスペース形成可能な大きさを持ったものを使用しておく。【００３２】  以上の様に、伸び縮みする押え具９を境界部４の上面部分の保持部３に装着した結果、集球中に排球部６の方へボール１２がこぼれ落ちる事もなくスムーズに集球保持出来る様になった。持運び時にもこぼれ落ちる事もない。また、ボール１２を排出したい時は押え具９を上方方向へ引っ張るだけの簡単操作で排出され、大変使い易い集球具である。
【実施例２】
【００３３】  本実施例は、実施例１で使用の伸縮性を有する押え具９に代わって、マグネットとスチールの一対物を使用した例である。図７から図９にその実施例図を示す。図７はその正面図を、図８は平面図を、図９は図８に示すＹ−Ｙ’視野での断面図を示す。【００３４】  実施例１と同様に、図１の原型集球具１１を使い、これにマグネット１４とスチール１５を図７〜図９に示す様に装着する。即ち、境界部４の区切板面上に細長平板状のスチール１５を接着装着し、その上面部分の保持部３にスチール１５より小さい円形板状のマグネット１４を２個接着装着する。そのマグネット１４は保持部３の内側面に装着し、マグネット１４から手を離した時にスチール１５に吸引付着する様に、その装着位置（部位）を調整対応させ装着する。【００３５】  このようにマグネットやスチールの大きさや個数、形状等を工夫すれば、その吸引付着がよりスムーズとなる。なお、マグネットやスチールは、吸引付着特性を示すものであれば複合材状のものであってもよい。但し、マグネット１４とスチール１５とが吸引付着した時には、実施例１と同様に、境界部４と保持部３との間がボール１２の直径より狭くなる様に、またマグネット１４を引っ張って引き離した時にはそのスペースがボール１２の直径より大きくなる様に調整装着する。【００３６】  マグネット１４とスチール１５の装着は、本実施例とは逆に、即ちマグネット１４を境界部４の方へ、スチール１５を保持部３の方へ装着しても支障ない。なお、保持部３への装着は実施例１の押え具９の装着と同様な要領で装着し、境界部４やフレーム２側への装着はその対応する部位に調整し行う。また、境界部４やフレーム２に適切な対応する部位が見つからない時は、その周辺等に対応部位を設ける等を行う事も出来る。【００３７】  装着に代えて、マグネットやスチール等で実施例１と同様にそれらの装着部位等を形成する事も出来る。更には、特許文献４に示されている落下防止具等との併用も可能である。例えば、同文献に示されている板状の落下防止具９Ｂと併用すれば、使い勝手や見栄えが向上するなどの時もある。この併用は、押え具９や布テープの場合でも同様である。【００３８】  本実施例の集球具の使用法は、実施例１と同様で、集球時や持運び時等にはマグネット１４とスチール１５とを付着させた状態で、排球時にはマグネット１４を上方側へ引っ張りスチール１５から引き離して使用する。使い勝手等は、実施例１と同様で、大変使い易い集球具である。
【実施例３】
【００３９】  本実施例は、かみ合わせ特性を有する布テープ「マジックテープ」（商標名）を使用した実施例である。
実施例２は、マグネットとスチールとの吸着特性利用の一対物の実施例であったが、本実施例はフック状とパイル状の布テープのかみ合せ特性利用の一対物を使用した例である。従って、実施例２のマグネットとスチールの一対物を、フック状とパイル状の一対物で置き換えれば、マジックテープ使用の集球具が出来る。【００４０】  例えば、実施例２の図７から図９において、マグネット１４とスチール１５の一対物をフック状とパイル状の一対物で置き換え装着すれば、本実施例３の集球具が出来る。
本実施例の集球具の使用法や使い勝手等は実施例２と同様であり、大変使い易い集球具を提供するものである。
【符号の説明】
【００４１】１、集球具
２、フレーム
３、保持部
４、境界部
５、集球部
６、排球部
７、線状物
８、柄
９、押え具
１０、１０Ａ、１０Ｂ、装着部
１１、原型集球具
１２、ボール
１３、容器
１４、マグネット
１５、スチール
【図１】
2011143219.tif 000003
【図２】
2011143219.tif 000004
【図３】
2011143219.tif 000005
【図４】
2011143219.tif 000006
【図５】
2011143219.tif 000007
【図６】
2011143219.tif 000008
【図７】
2011143219.tif 000009
【図８】
2011143219.tif 000010
【図９】
2011143219.tif 000011
【図１０】
2011143219.tif 000012